(57)【特許請求の範囲】
【請求項１】
先端部が半田を溶融可能に構成された複数のこて先と、前記こて先の温度を制御する温度制御手段と、を備えた半田ごてであって、
前記こて先は、それぞれ直列接続あるいは並列接続されたヒータと、前記先端部の温度に応じた熱起電力を生じさせる熱電対と、を有し、
それぞれの前記熱電対どうしは全て直列接続されて熱電対群を成し、かつ、前記熱電対群の一端と他端との間に複数の抵抗が直列接続され、
前記熱電対群の一端と直列接続された複数の前記抵抗どうしの間の分圧電位を温度信号として前記温度制御手段に入力させ、
前記温度制御手段は、前記温度信号に基づいて前記ヒータをフィードバック制御することを特徴とする半田ごて。
【請求項２】
前記温度信号は、それぞれの前記熱電対の起電力の平均電位であることを特徴とする請求項１記載の半田ごて。
【請求項３】
前記熱電対は、アルメル合金とクロメル合金とを接合したＫ型熱電対であることを特徴とする請求項１または２記載の半田ごて。
【発明の詳細な説明】
【技術分野】
【０００１】
本発明は、複数のこて先を備えた半田ごてに関する。
【背景技術】
【０００２】
従来、半田を溶融させるこて先を複数備えた半田ごてが知られている。こうした複数のこて先を備えた半田ごての一例として、特許文献１には、可動自在な一対の脚部の先端に設けられた接触片でＩＣチップなどの電気部品を挟持すると共に接触片で電気部品を回路基板に固着している半田を加熱して溶融状態とし、この状態で電気部品を回路基板から取り除く装置（電気部品取り除き装置）が開示されている。
【０００３】
この電気部品取り除き装置では、各脚部内に個別に設けられたヒータで各脚部を個別に加熱することにより、各脚部の先端に設けられた接触片を加熱し、当該接触片の熱で半田を溶融させる。このような電気部品取り除き装置は、複数のこて先を備えた半田ごての一例である。
【先行技術文献】
【特許文献】
【０００４】
【特許文献１】特開２００４−０５８０６４号公報
【発明の概要】
【発明が解決しようとする課題】
【０００５】
上述したような複数のこて先をもつ半田ごては、それぞれのこて先ごとにヒータを個別に設けるので、ヒータごとにヒータ制御回路（温度制御手段）が形成されているものがあった。例えば、２つのこて先を備えた半田ごての場合、ヒータも２つ形成されるため、それぞれヒータに対応して２つのヒータ制御回路が設けられているものがあった。一方、複数のヒータを１つのヒータ制御回路で制御するものもあるが、この場合、ヒータ制御回路として複数のヒータを制御可能な回路構成としたり、制御ソフトウェアによって複数のヒータを制御するといった構成となっている。
しかしながら、ヒータの数、即ちこて先の数に対応した複数のヒータ制御回路を設ける半田ごては、回路構成が複雑になり、信頼性の低下や製造コストの上昇を招く原因となる。また、複数のヒータを１つのヒータ制御回路で制御する半田ごてでは、ヒータ制御回路そのものの回路構成が複雑になったり、専用の制御ソフトウェアが必要になり、製造コストの上昇を招く原因となる。
【０００６】
本発明は、それぞれにヒータを備えたこて先を複数形成してなる半田ごてにおいて、温度制御に係る構成を簡略化し、低コストで信頼性の高い半田ごての提供を目的とするものである。
【課題を解決するための手段】
【０００７】
上記目的を達成するために、本発明では、先端部が半田を溶融可能に構成された複数のこて先と、前記こて先の温度を制御する温度制御手段と、を備えた半田ごてであって、
前記こて先は、それぞれ直列接続あるいは並列接続されたヒータと、前記先端部の温度に応じた熱起電力を生じさせる熱電対と、を有し、それぞれの前記熱電対どうしは全て直列接続されて熱電対群を成し、かつ、前記熱電対群の一端と他端との間に複数の抵抗が直列接続され、前記熱電対群の一端と直列接続された複数の前記抵抗どうしの間の分圧電位を温度信号として前記温度制御手段に入力させ、前記温度制御手段は、前記温度信号に基づいて前記ヒータをフィードバック制御することを特徴とする。
【０００８】
このような構成の本発明の半田ごてによれば、直列に接続した複数の熱電対からなる熱電対群の一端と他端との間に、複数の抵抗素子を接続するだけで、容易に複数の熱電対の熱起電力の平均値が得られ、これを熱電対と１対１で対応した簡易な構成の温度制御手段に入力させることで、複数のこて先の温度制御を温度制御手段によって一括して容易に行うことができる。これによって、例えば、熱電対ごとに温度制御手段を形成しなくても、複数の抵抗素子を設けるだけで、容易に、かつ低コストに複数のこて先をもつ半田ごての温度制御を行うことが可能になる。
【０００９】
前記温度信号は、それぞれの前記熱電対の起電力の平均電位であることを特徴とする。
【００１０】
前記熱電対は、アルメル合金とクロメル合金とを接合したＫ型熱電対であることを特徴とする。
【発明の効果】
【００１１】
本発明によれば、それぞれにヒータを備えたこて先を複数形成してなる半田ごてにおいて、温度制御に係る構成を簡略化し、低コストで信頼性の高い半田ごてを提供することが可能になる。
【図面の簡単な説明】
【００１２】
【図１】本発明の第１実施形態に係る半田ごての電気的構成を示す概略構成図である。
【図２】図１の制御部の構成を示すブロック図である。
【図３】本発明の第２実施形態に係る半田ごての電気的構成を示す概略構成図である。
【図４】本発明の第３実施形態に係る半田ごての電気的構成を示す概略構成図である。
【発明を実施するための形態】
【００１３】
以下、図面を参照して、本発明の実施形態について説明する。
（第１実施形態）
図１は、第１実施形態に係る半田ごての電気的構成を示す概略構成図である。
本実施形態の半田ごて１０は、２つのこて先１１Ａ、１１Ｂと、それぞれのこて先の温度制御を行う１つの制御部（温度制御手段）２１とを備えている。
こて先１１Ａ、１１Ｂは、それぞれヒータ線１２Ａ、１２Ｂと、熱電対１３Ａ、１３Ｂとを内部に収容している。
【００１４】
ヒータ線１２Ａ、１２Ｂは、例えば、アルミニウム含有鉄クロム合金線、タングステン線、ニクロム線などから構成され、こて先１１Ａ、１１Ｂの内部でコイル状に巻回されてなる。こて先１１Ａに形成されたヒータ線１２Ａと、こて先１１Ｂに形成されたヒータ線１２Ｂとは、電気的に直列に接続され、制御部２１を介して制御される。
【００１５】
熱電対１３Ａ、１３Ｂは、互いに異なる金属材料からなる金属線どうしを、こて先１１Ａ、１１Ｂの先端部１１Ａｐ、１１Ｂｐの近傍で接合したものからなる。熱電対１３Ａ、１３Ｂとしては、例えば、アルメル−クロメル接合体などのＫ型熱電対、クロメル−コンスタンタン接合体などのＥ型熱電対、鉄−コンスタンタン接合体などのＪ型熱電対を用いることができる。こうした熱電対１３Ａ、１３Ｂは、互いに異なる金属材料からなる金属線どうしの接合部分で、ゼーベック効果により熱起電力が生じる。また、熱電対と同等の働きをするセンサも適用することができる。
【００１６】
こて先１１Ａに形成された熱電対１３Ａと、こて先１１Ｂに形成された熱電対１３Ｂとは、電気的に直列に接続されて熱電対群１３Ｓを構成する。こうした熱電対群１３Ｓの一端側１３Ｓａと他端側１３Ｓｂとの間には、複数の抵抗素子１５Ａ，１５Ｂが直列接続されている。本実施形態においては、抵抗素子１５Ａと抵抗素子１５Ｂとは、互いに等しい抵抗値をもつ抵抗素子を用いている。
【００１７】
そして、熱電対群１３Ｓの一端１３Ｓａと、抵抗素子１５Ａおよび抵抗素子１５Ｂの間との分圧電位が、こて先１１Ａとこて先１１Ｂの平均温度を示す温度信号として、制御部（温度制御手段）２１に入力される。
【００１８】
図２は、図１の制御部の構成を示すブロック図である。
制御部（温度制御手段）２１は、起電力測定回路２２、温度補償回路２３、基準温度設定回路２４、ヒータ制御回路２５、オペアンプ２６を備えている。
【００１９】
起電力測定回路２２は、熱電対群１３Ｓで生じた熱起電力、即ち熱電対１３Ａの熱起電力と、熱電対１３Ｂの熱起電力との合計電位の平均値となる分圧電位を温度信号として測定する。温度補償回路２３は、起電力測定回路２２に対して、熱電対の数（本実施形態では２つ）に応じた温度補償を行う。
【００２０】
基準温度設定回路２４は、こて先１１Ａ、１１Ｂの温度設定を行う。オペアンプ２６は、こうした基準温度設定回路２４によって設定された設定温度（基準温度）と、起電力測定回路２２によって測定されたこて先１１Ａ、１１Ｂの実際の温度との差分信号を出力する。
【００２１】
ヒータ制御回路２５は、オペアンプ２６で出力された差分信号に基づいて、こて先１１Ａ、１１Ｂの温度が設定温度（基準温度）になるように、互いに直列に接続されたヒータ線１２Ａ、１２Ｂの通電を制御する。
【００２２】
以上のような構成の第１実施形態に係る半田ごて１０の作用を図１、２を参照して説明する。
本実施形態の半田ごて１０は、こて先１１Ａの温度とこて先１１Ｂの温度とが等しくなるように制御される。このため、基準温度設定回路２４で任意に設定された設定温度（基準温度）と、起電力測定回路２２で測定された熱電対群１３Ｓの熱起電力に基づく実際のこて先１１Ａ、１１Ｂの温度（実測温度）と差分を検出する。そして、この差分に応じてヒータ制御回路２５が互いに直列に接続されたヒータ線１２Ａ、１２Ｂの通電を制御する。
【００２３】
例えば、起電力測定回路２２で測定されたこて先１１Ａ、１１Ｂの実測温度が、基準温度設定回路２４で設定された設定温度よりも低い状態では、ヒータ制御回路２５がヒータ線１２Ａ、１２Ｂに対する通電を継続させる。一方、起電力測定回路２２で測定されたこて先１１Ａ、１１Ｂの実測温度が、基準温度設定回路２４で設定された設定温度と同じか高い状態では、ヒータ制御回路２５がヒータ線１２Ａ、１２Ｂに対する通電を行わない。
【００２４】
なお、ヒータ制御回路２５は、上述したＯＮ−ＯＦＦ制御以外にも、基準温度設定回路２４の設定温度と、起電力測定回路２２で測定された実測温度との差分に基づいて、ヒータ線１２Ａ、１２Ｂの通電電圧を任意に可変させる可変電圧制御によるヒータ線１２Ａ、１２Ｂの通電制御を行う構成であってもよい。
【００２５】
このようにこて先１１Ａとこて先１１Ｂとが等温になるように制御するためには、互いに同一抵抗値のヒータ線１２Ａ、１２Ｂを用いて、制御部（温度制御手段）２１を構成する起電力測定回路２２に、熱電対１３Ａの熱起電力と、熱電対１３Ｂの熱起電力との合計電位の平均値となる分圧電位を温度信号として入力させる必要がある。
【００２６】
本実施形態の半田ごて１０では、こうした分圧電位を得るために、熱電対１３Ａと熱電対１３Ｂとが直列接続されてなる熱電対群１３Ｓの一端側１３Ｓａと他端側１３Ｓｂとの間に直列接続された抵抗素子１５Ａと抵抗素子１５Ｂとの間の接続点Ｊ１と、熱電対群１３Ｓの一端１３Ｓａとの間の電位を温度信号として起電力測定回路２２に入力する。
【００２７】
こうした接続点Ｊ１と熱電対群１３Ｓの一端１３Ｓａとの間の電位は、熱電対１３Ａの熱起電力と熱電対１３Ｂの熱起電力とを合計した熱起電力の平均電位になる。即ち、こて先１１Ａの温度と、こて先１１Ｂの温度との平均温度を示す温度信号になる。
【００２８】
例えば、こて先１１Ａに形成された熱電対１３Ａの起電力をＥ１、こて先１１Ｂに形成された熱電対１３Ｂの起電力をＥ２とした場合、熱電対群１３Ｓの一端側１３Ｓａと他端側１３Ｓｂとの間の電位Ｅ３は、次式（１）で示される。
Ｅ３＝Ｅ１＋Ｅ２・・・（１）
【００２９】
そして、抵抗素子１５Ａの抵抗値をＲ１、抵抗素子１５Ｂの抵抗値をＲ２とした場合、抵抗素子１５Ａと抵抗素子１５Ｂとの間の接続点Ｊ１と、熱電対群１３Ｓの一端１３Ｓａとの間の電位Ｅ４は、Ｒ１＝Ｒ２であるから、次式（２）で示される。
Ｅ４＝Ｅ３／２・・・（２）
【００３０】
このように、こて先１１Ａとこて先１１Ｂの温度が異なる場合であっても、制御部（温度制御手段）２１を構成する起電力測定回路２２に入力される温度信号となる電位Ｅ４は、熱電対１３Ａの熱起電力と熱電対１３Ｂの熱起電力との平均値となる。
【００３１】
そして、こうした熱電対１３Ａの熱起電力と熱電対１３Ｂの熱起電力との平均値である温度信号と、基準温度設定回路２４によって設定された設定温度（基準温度）との差分信号に基づいて、こて先１１Ａ、１１Ｂの温度が設定温度（基準温度）になるように、互いに直列に接続されたヒータ線１２Ａ、１２Ｂの通電が制御される。
【００３２】
以上のように、本発明の一実施形態である半田ごて１０によれば、直列に接続した２つの熱電対１３Ａ，１３Ｂからなる熱電対群１３Ｓの一端１３Ｓａと他端１３Ｓｂとの間に、例えば互いに等しい抵抗値をもつ複数の抵抗素子１５Ａ，１５Ｂを接続するたけで、容易に熱電対１３Ａの熱起電力と熱電対１３Ｂの熱起電力との平均値（分圧電位）である温度信号が得られ、これを１つの制御部（温度制御手段）２１に入力させることで、複数のこて先１１Ａ，１１Ｂの温度制御を１つの制御部（温度制御手段）２１によって一括して容易に行うことができる。
【００３３】
これによって、例えば、従来のように、熱電対ごとに制御部（温度制御手段）を形成したり、あるいは複数の熱電対を制御可能な複雑な回路構成の制御部を用いなくても、複数の抵抗素子を設けるだけで、容易に、かつ低コストに複数のこて先をもつ半田ごての温度制御を行うことが可能になる。
【００３４】
（第２実施形態）
図３は、第２実施形態に係る半田ごての電気的構成を示す概略構成図である。
なお、図１、２に示す第１実施形態と同一構成の部材には同一の番号を付し、その詳細な説明は省略する。
本実施形態の半田ごて３０は、こて先１１Ａの温度に応じた熱起電力を生じる熱電対１３Ａと、こて先１１Ｂの温度に応じた熱起電力を生じる熱電対１３Ｂとを備え、これら
熱電対１３Ａと熱電対１３Ｂとが直列に接続されて熱電対群１３Ｓを構成している。そして、こうした熱電対群１３Ｓの一端側１３Ｓａと他端側１３Ｓｂとの間には、複数の抵抗素子３５Ａ，３５Ｂが直列接続されている。このうち、抵抗素子３５Ｂは、可変抵抗素子とされている。
【００３５】
このような構成の半田ごて３０では、可変抵抗素子である抵抗素子３５Ｂの抵抗値を任意の値に設定することによって、制御部（温度制御手段）２１を構成する基準温度設定回路２４（図２参照）の温度設定によらず、こて先１１Ａ，１１Ｂの温度設定を行うことができる。
【００３６】
例えば、熱電対群１３Ｓの起電力をＥ３、抵抗素子３５Ａの抵抗値をＲ１、可変抵抗素子からなる抵抗素子３５Ｂの設定抵抗値をＶＲ２とした時に、抵抗素子３５Ａと抵抗素子３５Ｂとの間の接続点Ｊ１と熱電対群１３Ｓの一端１３Ｓａとの間の電位Ｅ４（温度信号）は、次式（３）で示される。
Ｅ４＝ＶＲ２／（Ｒ１＋ＶＲ２）×Ｅ３・・・（３）
【００３７】
例えば、抵抗素子３５Ｂの設定抵抗値ＶＲ２を抵抗素子３５Ａの抵抗値Ｒ１よりも小さくなるように設定（ＶＲ２＜Ｒ１）した場合、Ｅ４＞（Ｅ３／２）となるため、制御部（温度制御手段）２１に入力される温度信号は、抵抗素子３５Ａと抵抗素子３５Ｂの抵抗値が等しい場合と比較して、低い値になるように入力される。その結果、制御部（温度制御手段）２１は、こて先１１Ａ，１１Ｂの温度が基準温度設定回路２４（図２参照）の設定値よりも低くなっていると認識し、ヒータ線１２Ａ、１２Ｂの通電制御によって、こて先１１Ａ，１１Ｂの温度を更に高める。これにより、こて先１１Ａ，１１Ｂの温度が基準温度設定回路２４（図２参照）の温度設定によらず高められる。
【００３８】
また、例えば、抵抗素子３５Ｂの設定抵抗値ＶＲ２を抵抗素子３５Ａの抵抗値Ｒ１よりも大きくなるように設定（ＶＲ２＞Ｒ１）した場合、Ｅ４＜（Ｅ３／２）となるため、制御部（温度制御手段）２１に入力される温度信号は、抵抗素子３５Ａと抵抗素子３５Ｂの抵抗値が等しい場合と比較して、高い値になるように入力される。その結果、制御部（温度制御手段）２１は、こて先１１Ａ，１１Ｂの温度が基準温度設定回路２４（図２参照）の設定値よりも高くなっていると認識し、ヒータ線１２Ａ、１２Ｂの通電停止によって、こて先１１Ａ，１１Ｂの温度を低下させる。これにより、こて先１１Ａ，１１Ｂの温度が基準温度設定回路２４（図２参照）の温度設定によらず低められる。
【００３９】
このように複数の抵抗素子のうちの１つを可変抵抗素子にすることによって、例えば、抵抗素子１５Ｂの抵抗値設定スイッチを半田ごて３０の把持部などに形成すれば、半田付けの作業中に手元で一時的にこて先１１Ａ，１１Ｂの温度設定を高めたり、あるいは低めたりするといったことも可能になる。
【００４０】
（第３実施形態）
図４は、第３実施形態に係る半田ごての電気的構成を示す概略構成図である。
なお、図１、２に示す第１実施形態と同一構成の部材には同一の番号を付し、その詳細な説明は省略する。また、ヒータ線は省略している。
本実施形態の半田ごて４０は、３つ以上のこて先１１Ａ，１１Ｂ，１１Ｃ・・１１ｎを形成した例である。こうした多数ｎのこて先１１Ａ，１１Ｂ，１１Ｃ・・１１ｎを形成した場合であっても、それぞれのこて先に対応した熱電対１３Ａ，１３Ｂ，１３Ｃ・・１３ｎを全て直列に接続してなる熱電対群１３Ｓｎの一端側１３Ｓａと他端側１３Ｓｂとの間に、互いに抵抗値の等しい複数の抵抗素子１５Ａ，１５Ｂを直列接続することで、抵抗素子１５Ａと抵抗素子１５Ｂとの間の接続点Ｊ１と熱電対群１３Ｓｎの一端１３Ｓａとの間で、全ての熱電対１３Ａ，１３Ｂ，１３Ｃ・・１３ｎの平均起電力を容易に得ることができる。なお、接続点Ｊ１と熱電対群１３Ｓｎの一端１３Ｓａとの間の電位は、１／熱電対の数ｎとなるように、抵抗素子１５Ａ，１５Ｂの抵抗値を選択する。
【００４１】
こうした平均起電力を温度信号として制御部２１に入力させれば、３つ以上のこて先１１Ａ，１１Ｂ，１１Ｃ・・１１ｎを備えた半田ごて４０であっても、全てのこて先の温度を一括して容易に制御することが可能になる。
【００４２】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００４３】
第１実施形態から第３実施形態に示した回路構成、各部品どうしのの接続形態は一例であり、電気的に等価な回路構成を含むものである。例えば、熱電素子群の一端と他端との間に形成する抵抗素子は、上述した各実施形態のように２つに限定されるものでは無く、３つ以上の抵抗素子を接続して分圧回路を形成することもできる。
【符号の説明】
【００４４】
１０  半田ごて
１１Ａ，１１Ｂ  こて先
１２Ａ、１２Ｂ  ヒータ線
１３Ａ、１３Ｂ  熱電対
２１  制御部
【図１】
0006559061.tif 000002
【図２】
0006559061.tif 000003
【図３】
0006559061.tif 000004
【図４】
0006559061.tif 000005